(57)【特許請求の範囲】
【請求項１】
接地ベース部の適所に、一軸心上に櫛歯状配列とした複数個の支持駒部を突設し、各支持駒部の一軸心上に軸孔を穿孔した放熱脚座ブロックを有し、該一軸心上の各支持駒部間に対応させて櫛歯状に配列した複数個の可変駒部を設け、各可変駒部の当該一軸心上に軸孔を穿孔するようにし、各可変駒部の基端に、対象発熱体を搭載可能なテーブル部を一体化した放熱テーブルブロックを有し、当該放熱脚座ブロック各支持駒部に対し、該放熱テーブルブロック各可変駒部を噛合状に組み合わせ、当該一軸心上に重ね合わせた軸孔の一端から軸ボルトを串刺し状に貫き、重ね合わせた軸孔の他端に露出した該軸ボルト先端にナットを螺着して放熱・角度調節機構とした上、当該一軸心上の何れか一方の最外側に露出状配置となる可変駒部および支持駒部の何れか一方に、軸孔に平行な規制ネジ孔を貫通し、該規制ネジ孔に対して外がわから規制ネジを螺着し、隣接する支持駒部に対する可変駒部の角度姿勢変化を強固に規制可能となるものとしたことを特徴とする放熱型姿勢可変ホルダー。
【請求項２】
接地ベース部の適所に、一軸心上に櫛歯状配列とした複数個の支持駒部を突設し、各支持駒部の一軸心上に軸孔を穿孔した放熱脚座ブロックを有し、該一軸心上の各支持駒部間に対応させて櫛歯状に配列した複数個の可変駒部を設け、各可変駒部の当該一軸心上に軸孔を穿孔するようにし、各可変駒部の基端に、対象発熱体を搭載可能なテーブル部を一体化した放熱テーブルブロックを有し、当該放熱脚座ブロック各支持駒部に対し、該放熱テーブルブロック各可変駒部を噛合状に組み合わせ、当該一軸心上に重ね合わせた軸孔の一端から軸ボルトを串刺し状に貫き、重ね合わせた軸孔の他端に露出した該軸ボルト先端にナットを螺着して放熱・角度調節機構とし、対象発熱体が発する熱を該放熱テーブルブロック、放熱・角度調節機構および放熱脚座ブロックを通じて放熱、冷却可能とした上、当該一軸心上の何れか一方の最外側に露出状配置となる可変駒部および支持駒部の何れか一方に、軸孔に平行な規制ネジ孔を貫通し、該規制ネジ孔に対して外がわから規制ネジを螺着し、隣接する支持駒部に対する可変駒部の角度姿勢変化を強固に規制可能となるものとしたことを特徴とする放熱型姿勢可変ホルダー。
【請求項３】
高熱伝導率の素材製であり、設置対象物に対して固定する固着部を設けた接地ベース部の適所に、一軸心上の適宜間隔置き毎に、該一軸心に直交する配列方向側面を互いに平行且つ平滑な伝熱壁とし、対峙する伝熱壁間に谷溝部を形成し、櫛歯状に配列した複数個の支持駒部を突設し、各支持駒部の該一軸心上に軸孔を穿孔した放熱脚座ブロックを有し、高熱伝導率の素材製であり、当該一軸心上の支持駒部の厚みに相当する間隔置き毎に、該一軸心に直交する配列方向側面を互いに平行且つ平滑な伝熱壁とし、対峙する伝熱壁間に対応する支持駒部に嵌合可能な谷溝部を形成し、櫛歯状に配列した複数個の可変駒部を設け、各可変駒部の基端に、対象発熱体を伝・放熱可能に搭載可能なテーブル部を一体化し、各可変駒部の当該一軸心上に軸孔を穿孔した放熱テーブルブロックを有し、当該放熱脚座ブロック各谷溝部に対し、該放熱テーブルブロック各可変駒部を、該放熱テーブルブロック各谷溝部に対し、当該放熱脚座ブロック各支持駒部を噛合状に組み合わせ、当該一軸心上に重ね合わせた軸孔の一端から軸ボルトを串刺し状に貫き、重ね合わせた軸孔の他端に露出した該軸ボルト先端にナットを螺着し、各支持駒部各可変駒部の対峙伝熱壁同士を密に接合するよう連結した放熱・角度調節機構とした上、当該一軸心上の何れか一方の最外側に露出状配置となる可変駒部および支持駒部の何れか一方に、軸孔に平行な規制ネジ孔を貫通し、該規制ネジ孔に対して外がわから規制ネジを螺着し、隣接する支持駒部に対する可変駒部の角度姿勢変化を強固に規制可能となるものとしたことを特徴とする放熱型姿勢可変ホルダー。
【請求項４】
放熱テーブルブロックのテーブル部は、対象発熱体としてのＣＯＢ（ｃｈｉｐ  ｏｎ  ｂｏａｒｄ）型ＬＥＤ（ｌｉｇｈｔ  ｅｍｉｔｔｉｎｇ  ｄｉｏｄｅ）搭載の照明灯を搭載可能な矩形肉厚平板状の形状とし、適所に該照明灯用の被固定部を設けてなるものとした、請求項１ないし３何れか一記載の放熱型姿勢可変ホルダー。
【発明の詳細な説明】
【技術分野】
【０００１】
この発明は、設置対象物に対して物品を所望の姿勢に固定可能とする技術に関連するものであり、特に、照明灯やその他の発熱体を冷却可能に支持する固定装置類を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                          
【背景技術】
【０００２】
（着目点）
白熱電球や蛍光灯などよりも、エネルギー効率が良くて長寿命であり、地球環境に優しい上に、消費電力を大幅に削減できるので経済的であるという理由から、ＬＥＤ（ｌｉｇｈｔ  ｅｍｉｔｔｉｎｇ  ｄｉｏｄｅ）を光源とする照明装置が既に広く普及してきているものの、ＬＥＤは、ＬＥＤチップのジャンクション温度（Ｔｊ）を設計値よりも低くなるよう設定しなければ、光量の低下や破損による寿命の短命化などの機能障害を生じることとなり、ＬＥＤ本来の性能を発揮できなくなるという課題を有している。
【０００３】
さらに、ＬＥＤは、面発光するから、従来型の白熱電球や蛍光灯などよりも指向性が強いために配光の広がりが狭いという難点があり、目的の対象物を照明するには、反射シートやリフレクター、配光レンズなどを組み合わせたり、複数個のＬＥＤチップを千鳥状や碁盤目状に配するなどの改良を加えたり、支持構造部分に照明灯の角度姿勢を調節可能とする機能を付与したものなどとするといった工夫を必要としている。
【０００４】
（従来の技術）
こうした状況を反映し、その打開策となるような提案もこれまでに散見されない訳ではない。
例えば、下記の特許文献１（１）に提案されているものに代表されるように、ＬＥＤチップで発生する熱を、ＬＥＤモジュールベースとＬＥＤモジュールブラケットとによって伝導させ、これをケース上部の放熱板に放熱させるようにすると共に、その外装ケースについては、角度調節部を介して設置対象物に取り付け、固定するようにしたものや、同特許文献１（２）に見られるような、放熱型筐体内にＬＥＤを装着したＬＥＤ型照明モジュールに光角度調節手段を結合するようにした上、ＬＥＤチップで発生する熱は、放熱型筐体を通じて放熱するようにすると共に、光角度調節手段を調節して照明角度を調節可能としたものなどが散見される。
【０００５】
しかし、上記特許文献１（１）および１（２）に示されているようなＬＥＤ照明器具類は、搭載したＬＥＤチップの発熱については、灯具筐体自体の放熱性を高めるようにて解決しようとするものであり、例えば、ＬＥＤチップを搭載する筐体などの灯具本体にヒートシンクを設けることができない場合や灯具筐体を設けない場合、また、ＬＥＤを灯具筐体内に対し、角度調節手段を介して組み込むようにしたものなどは、角度調節構造部分の熱伝導断面積が小さく、熱流束のボトルネックとなって放熱性能を充分に高めることができず、充分な冷却性能を確保できない虞があるという致命的な課題を抱えるものとなっていた。                                                                                    
【特許文献１】（１）特許第５７０６５３６号公報    （２）特開２０１３−５８４６７号公報
【発明の概要】
【発明が解決しようとする課題】
【０００６】
（問題意識）
上述したとおり、従前までに提案のある各種ＬＥＤ照明器具などは、何れもＬＥＤの狭い照明範囲を補うために、照明灯の支持角度を調節可能とする角度調節機構を組み込んだ構造としており、ＬＥＤチップの冷却は、専ら灯具筐体などの照明装置本体にヒートシンクを設けるなどして充分な冷却性能を確保しているが、照明装置本体の大型化、構造の複雑化、重量増加などを招くこととなって、小型軽量化するのが難しいという課題を残すものであり、こうした状況の中、永年に渡って各種照明装置を開発、製造および提供して来た経験を重ね、得られた様々な知見、およびユーザーからの情報などに基づき、角度調節機構を備えた支持装置からも効率的に放熱可能とするようにした構成について、更なる改善の必要性を痛感するに至ったものであり、開発に臨む際には、ＬＥＤ照明装置への利用に留まらず、様々な発熱機器の放熱を可能とする姿勢調節機能を有した支持装置への応用を容易にするよう、汎用性に優れた新技術の実用化を目指すこととした。
【０００７】
（発明の目的）
そこで、この発明は、発熱機器類を所望の角度姿勢に確りと支持することができる上、搭載した発熱機器類が発する熱を、設置対象物がわに向けて効率的に伝達および放熱可能とする新たな姿勢可変ホルダー技術の開発はできないものかとの判断から、逸速くその開発、研究に着手し、長期に渡る試行錯誤と幾多の試作、実験とを繰り返してきた結果、今回、遂に新規な構造の放熱型姿勢可変ホルダーを実現化することに成功したものであり、以下では、図面に示すこの発明を代表する実施例と共に、その構成を詳述することとする。                                                                          
【課題を解決するための手段】
【０００８】
（発明の構成）
図面に示すこの発明を代表する実施例からも明確に理解されるように、この発明の放熱型姿勢可変ホルダーは、基本的に次のような構成から成り立っている。
即ち、接地ベース部の適所に、一軸心上に櫛歯状配列とした複数個の支持駒部を突設し、各支持駒部の一軸心上に軸孔を穿孔した放熱脚座ブロックを有し、該一軸心上の各支持駒部間に対応させて櫛歯状に配列した複数個の可変駒部を設け、各可変駒部の当該一軸心上に軸孔を穿孔するようにし、各可変駒部の基端に、対象発熱体を搭載可能なテーブル部を一体化した放熱テーブルブロックを有し、当該放熱脚座ブロック各支持駒部に対し、該放熱テーブルブロック各可変駒部を噛合状に組み合わせ、当該一軸心上に重ね合わせた軸孔の一端から軸ボルトを串刺し状に貫き、重ね合わせた軸孔の他端に露出した該軸ボルト先端にナットを螺着して放熱・角度調節機構としてなるものとした構成を要旨とする放熱型姿勢可変ホルダーである。
【０００９】
この基本的な構成からなる放熱型姿勢可変ホルダーは、その表現を変えて示すならば、接地ベース部の適所に、一軸心上に櫛歯状配列とした複数個の支持駒部を突設し、各支持駒部の一軸心上に軸孔を穿孔した放熱脚座ブロックを有し、該一軸心上の各支持駒部間に対応させて櫛歯状に配列した複数個の可変駒部を設け、各可変駒部の当該一軸心上に軸孔を穿孔するようにし、各可変駒部の基端に、対象発熱体を搭載可能なテーブル部を一体化した放熱テーブルブロックを有し、当該放熱脚座ブロック各支持駒部に対し、該放熱テーブルブロック各可変駒部を噛合状に組み合わせ、当該一軸心上に重ね合わせた軸孔の一端から軸ボルトを串刺し状に貫き、重ね合わせた軸孔の他端に露出した該軸ボルト先端にナットを螺着して放熱・角度調節機構とし、対象発熱体が発する熱を該放熱テーブルブロック、放熱・角度調節機構および放熱脚座ブロックを通じて放熱、冷却可能としてなるものとした構成からなる放熱型姿勢可変ホルダーとなる。
【００１０】
より具体的には、高熱伝導率の素材製であり、設置対象物に対して固定する固着部を設けた接地ベース部の適所に、一軸心上の適宜間隔置き毎に、該一軸心に直交する配列方向側面を互いに平行且つ平滑な伝熱壁とし、対峙する伝熱壁間に谷溝部を形成し、櫛歯状に配列した複数個の支持駒部を突設し、各支持駒部の該一軸心上に軸孔を穿孔した放熱脚座ブロックを有し、高熱伝導率の素材製であり、当該一軸心上の支持駒部の厚みに相当する間隔置き毎に、該一軸心に直交する配列方向側面を互いに平行且つ平滑な伝熱壁とし、対峙する伝熱壁間に対応する支持駒部に嵌合可能な谷溝部を形成し、櫛歯状に配列した複数個の可変駒部を設け、各可変駒部の基端に、対象発熱体を伝・放熱可能に搭載可能なテーブル部を一体化し、各可変駒部の当該一軸心上に軸孔を穿孔した放熱テーブルブロックを有し、当該放熱脚座ブロック各谷溝部に対し、該放熱テーブルブロック各可変駒部を、該放熱テーブルブロック各谷溝部に対し、当該放熱脚座ブロック各支持駒部を噛合状に組み合わせ、当該一軸心上に重ね合わせた軸孔の一端から軸ボルトを串刺し状に貫き、重ね合わせた軸孔の他端に露出した該軸ボルト先端にナットを螺着し、各支持駒部各可変駒部の対峙伝熱壁同士を密に接合するよう連結した放熱・角度調節機構としてなるものとした構成からなる放熱型姿勢可変ホルダーとなる。                                                                                      
【発明の効果】
【００１１】
以上のとおり、この発明の放熱型姿勢可変ホルダーによれば、従前までのものとは違い、上記したとおりの固有の特徴ある構成から、発熱機器類を所望の角度姿勢に調節し、確りと支持することができる上、搭載した発熱機器類が発する熱を、放熱脚座ブロック、および接地ベース部がわに向けて効率的に伝達および放熱可能とすることができるという特に秀でた特徴が得られるものである。
【００１２】
加えて、放熱・角度調節機構は、軸ボルトおよびナットの締め付けにより、噛合状に組み合わせた複数個の支持駒部および可変駒部を一挙に固定し、放熱脚座ブロックに対して放熱テーブルブロックを該一軸心回り所望の角度姿勢に確りと固定することができる上に、各支持駒部および可変駒部を密着状とし、格段に効率的に熱伝達可能とすることができるから、搭載した対象発熱体（発熱機器類）からの熱を放熱および冷却する性能を大幅に高めたものとすることができ、しかも、放熱脚座ブロック、接地ベース部の固着部を設置対象物に対して確り固定することにより、設定した照明姿勢を確実に維持し、格段に信頼性の高い照明を実現可能とする利点が得られる。
【００１３】
そして、放熱テーブルブロックの可変駒部数を、放熱脚座ブロックの支持駒部数よりも１個多く設定し、一軸心上に噛合するよう組み合わせ、該一軸心上最外側両端に、可変駒部が配するものとしたものでは、搭載した対象発熱体が発する熱が、放熱テーブルブロックから放熱脚座ブロックへと伝達する過程で次第に放熱および冷却が進み、テーブル部から遠ざかるほど、伝達する熱量が減少するものとなることから、受ける熱量の少ない支持駒部を、受ける熱量の多い可変駒部よりも１個少なく設定し、全体の熱流量を略一定に保ちながら、部品の小型化、軽量化を達成したものとすることができるという大きな効果を発揮するものとなる。
【００１４】
一軸心上何れか一方の最外側配置となる可変駒部または支持駒部の、露出状配置となる伝熱壁に、ナット用の回転止め溝を刻設してなるようにしたものでは、軸ボルト・ナットの螺合および螺解操作を格段に簡単確実なものとすることができる上、ナットの緩みを確実に防止することができものとなって、より信頼性に優れたものとなる。
【００１５】
規制ネジ孔および規制ネジを設けるようにしたものは、放熱脚座ブロックに対する放熱テーブルブロックの角度姿勢を、軸ボルト・ナットによる緊締だけによるものとした場合に比較して、さらに確実に固定することができるようになり、一層信頼性に秀でた放熱型姿勢可変ホルダーとすることが可能となるという効果が得られる。
【００１６】
そして、放熱テーブルブロック、テーブル部の、対象発熱体を搭載する表面、および、放熱テーブルブロック可変駒部、放熱脚座ブロック支持駒部の互いに接合する伝熱壁間に、軟質且つ高熱伝導率の伝熱膜を設けてなるものは、部品同士の熱の流れに交叉する接合面同士の接合面積を伝熱膜が拡大し、より多くの熱をより迅速且つ効率的に伝達可能とすることができるから、格段に優れた放熱性能を達成可能とする。
【００１７】
さらに、放熱テーブルブロック、テーブル部に、対象発熱体としての、ＣＯＢ（ｃｈｉｐ  ｏｎ  ｂｏａｒｄ）型ＬＥＤ（ｌｉｇｈｔ  ｅｍｉｔｔｉｎｇ  ｄｉｏｄｅ）搭載の照明灯を搭載可能な形状とし、適所に該照明灯用の被固定部を設けるようにしたものでは、当該放熱型姿勢可変ホルダーの秀でた放熱性能によって、ＣＯＢ型ＬＥＤが発光中に発する熱を迅速に放熱、冷却することができる上、放熱・角度調節機構によって照明灯の向きを自由に調節および固定することができるものとなるから、姿勢角度の調節を容易にしてあらゆる場所への設置を可能とする上に、ＣＯＢ型ＬＥＤの効率的な冷却を促進し、安定した発光性能とＬＥＤの長寿命化とを達成することかでき、従前までの様々な課題を一挙に克服することとなって、ＬＥＤ照明灯のより幅広い分野への利用を実現化できるものになるという大きな特徴を得ることができる。                                            
【発明を実施するための最良の形態】
【００１８】
上記したとおりの構成からなるこの発明の実施に際し、その最良もしくは望ましい形態について説明を加えることにする。
放熱脚座ブロックは、伝熱および放熱性を有し、放熱テーブルブロックを、所定の一軸心回りに回動、且つ固定可能に連結、支持する機能を担うものであり、接地ベース部の適所に、一軸心上に櫛歯状配列とした複数個の支持駒部を突設し、各支持駒部の一軸心上に軸孔を穿孔したものとしなければならず、高熱伝導率の素材製とすべきであって、例えば、アルミニウム合金、銅合金、ステンレス合金、鋼、チタン合金、マグネシウム合金、高熱伝導率が得られる素材からなるセラミックス、その他の各種純金属、合金、複合素材、その他、各種素材中の何れかの素材製とするのが良く、当該放熱型姿勢可変ホルダーの全体を構成する個々の部品の素材も同様に、高熱伝導率の何れかの素材製とすることができる。
【００１９】
放熱脚座ブロックの接地ベース部は、設置対象物の適所に対して接合すると共に、当該放熱型姿勢可変ホルダー全体、および搭載した発熱機器類などの対象発熱体を、充分な強度を持って支持可能とする上、放熱テーブルブロックから伝わる熱の一部を、外気中や、設置対象物などに放熱するという機能を担っており、設置対象物に対して充分な接合面積を確保可能としなければならず、確りと固定できる固着部を有するものとすることができ、固着部は、設置対象物に対して充分な耐久強度をもって確りと固着し、対象発熱体を支持可能とする機能を担い、設置対象物に対して固着可能な接着剤膜や粘着剤膜などの外、結束帯、ボルト、ビス釘などの装着部、または、一部を設置対象物がわに設けた植え込みボルトや、ネジ穴、バックル機構や留め金具機構の他部などとすることが可能であり、より具体的には、後述する実施例にも示すように、矩形状接地ベース部の両端に、厚み方向に貫通するよう穿設したネジ用の取付孔とすることができる。
【００２０】
一軸心は、放熱脚座ブロックに対して放熱テーブルブロックの支持角度姿勢を回動状に変更可能とする中心位置を示し、回動する放熱テーブルブロックが、充分な姿勢変更を可能とするよう、接地ベース部から僅かに離れた位置に設定するようにし、支持駒部および可変駒部の各伝熱壁が、該一軸心に直交する配置関係としなければならず、接地ベース部の設置対象物に対する接地面に、適宜角度をもった斜めの軸心とすることが可能である外、後述する実施例にも示しているように、接地ベース部の裏面がわであって設置対象物に対する接地面に対して平行なものとすることができる。
【００２１】
放熱脚座ブロックの支持駒部は、接地ベース部に対して放熱テーブルブロックの可変駒部が、一軸心を中心に回動自在および支持可能とするようにした上、放熱テーブルブロックの可変駒部から伝わる熱を効率的に接地ベース部に伝達すると共に、自らも外部に放熱可能とする機能を担うものであって、接地ベース部の適所に、一軸心上に櫛歯状配列とした複数個の支持駒部を突設し、各支持駒部の一軸心上に軸孔を穿孔したものとしなければならず、接地ベース部の適所に、一軸心上の適宜間隔置き毎であって、該一軸心に直交する配列方向側面を互いに平行且つ平滑な伝熱壁とし、対峙する伝熱壁間に谷溝部を形成して櫛歯状に配列するよう突設し、当該一軸心上に軸孔を穿孔するようにしたものとすべきであり、後述する実施例にも示すとおり、支持駒部の先端がわの角を大きく面取りし、放熱テーブルブロックと干渉せず、円滑に回動、支持角度調節可能となるようにしたものとすることができる。
【００２２】
支持駒部の伝熱壁は、支持駒部に可変駒部を噛合するよう組み合わせた場合に、可変駒部の伝熱壁と効率的に熱伝導可能とし、対象発熱体が発する熱を、放熱テーブルブロックから放熱脚座ブロックがわに迅速に伝熱可能とする機能を担い、支持駒部に対して可変駒部を、一軸心回りに角度調節可能とするよう、伝熱壁を一軸心に直交する姿勢とし、互いに平行且つ平滑な壁面からなるものとしなければならず、後述する実施例にも示した通り、伝熱壁に、軟質且つ高熱伝導率の伝熱用シートやゲルおよび熱伝導グリスなどの少なくとも何れか１つの伝熱膜を、可変駒部の伝熱壁との間で共有するよう設けてなるものとすることができる。
【００２３】
支持駒部の軸孔は、一軸心上に櫛歯状に配列した複数個の支持駒部に対して、一軸心上に櫛歯状に配列した複数個の可変駒部を噛合状に組み合わせるようにし、支持駒部に対して可変駒部を一軸心回りに回動可能とするよう、噛合状に組み合わせた複数個の支持駒部および可変駒部に、軸ボルトを串刺し状に貫き装着可能とする機能を担うものとし、軸ボルトの軸部分直径よりも僅かに大きな内径に設定し、一軸心に同心上配置となるよう穿設したものとしなければならず、軸孔内周壁と軸ボルトの軸部分外周壁との間に、軟質且つ高熱伝導率の伝熱用シートやゲルおよび熱伝導グリスなどの少なくとも何れか１つの伝熱膜を設けたもとすることが可能である。
【００２４】
支持駒部間の谷溝部は、可変駒部と噛合状に組み合わせ、一軸心回りに回動して角度姿勢を調節可能とし、互いの伝熱壁を効率的に熱伝導可能とするよう密に接合可能とする機能を担い、支持駒部と可変駒部との噛合状の組み合わせ作業を容易に行えるよう、一軸心方向の谷溝部幅を、それに嵌合する可変駒部の肉厚寸法より極僅かに大きく設定したものとすべきである。
【００２５】
放熱テーブルブロックは、伝熱および放熱性を有し、対象発熱体を搭載し、放熱脚座ブロックに対して、所定の一軸回りに回動、且つ固定状に連結可能となる機能を担うものであり、一軸心上の各支持駒部間に対応し、櫛歯状に配列した複数個の可変駒部を設け、各可変駒部の当該一軸心上に軸孔を穿孔し、各可変駒部の基端に、対象発熱体が搭載可能となるテーブル部を一体化したものとしなければならず、一軸心上の支持駒部の厚みに相当する間隔置き毎に、該一軸心に直交する配列方向側面を互いに平行且つ平滑な伝熱壁とし、対峙する伝熱壁間に対応する支持駒部に嵌合可能な谷溝部を形成し、櫛歯状に配列した複数個の可変駒部を設け、各可変駒部の基端に、対象発熱体を伝・放熱可能に搭載可能なテーブル部を一体化し、各可変駒部の当該一軸心上に軸孔を穿孔してなるものにすると同時に、放熱脚座ブロックと同様に、高熱伝導率素材製のものとすべきである。
【００２６】
放熱テーブルブロックのテーブル部は、複数個の可変駒部に、対象発熱体を搭載可能とし、該対象発熱体が発する熱を自ら放熱可能とする上、複数個の可変駒部に対して効率的に熱分配するよう熱伝導する機能を担うものであって、高熱伝導率素材製とし、対象発熱体を効率良く熱伝導可能に搭載するのに適した天面形状のものとしなければならず、対象発熱体を固定可能とするネジ孔、バックル機構、嵌合鈎などの様々な固定機構の中、何れかの結着部を設けたものとすべきであり、後述する実施例にも示しているように、テーブル部天面を一軸心に平行且つ平滑な平面壁からなるものとし、対象発熱体との間に、軟質且つ高熱伝導率の伝熱用シートやゲルおよび熱伝導グリスなどの少なくとも何れか１つの伝熱膜を設けたもとするのが望ましい。
【００２７】
放熱テーブルブロックの可変駒部は、テーブル部に対して放熱脚座ブロックの支持駒部を、一軸心を中心に回動自在および支持可能とする上、対象発熱体を搭載したテーブル部から伝わる熱を効率的に支持駒部に伝達すると共に、自らも外部に放熱可能とする機能を担っており、一軸心上の各支持駒部間に対応するようにして櫛歯状に配列し、該一軸心上に軸孔を穿孔したものとしなければならず、テーブル部裏面がわの、一軸心上の適宜間隔置き毎に、該一軸心に直交する配列方向側面を互いに平行且つ平滑な伝熱壁とし、対峙する伝熱壁間に谷溝部を形成するようにして櫛歯状に配列するよう突設し、該一軸心上に軸孔を穿孔したものすべきであり、後述する実施例にも示しているように、可変駒部の先端がわの角を大きく面取りし、放熱脚座ブロックと干渉せず、円滑に支持角度調節可能なものとするのが良い。
【００２８】
可変駒部の伝熱壁は、可変駒部に支持駒部を噛合するよう組み合わせた場合に、支持駒部の伝熱壁と効率的に熱伝導可能とし、対象発熱体が発する熱を、放熱テーブルブロックから放熱脚座ブロックがわに効率的に伝熱可能とする機能を担い、可変駒部に対して支持駒部を一軸心回りに角度調節可能とするよう、伝熱壁を一軸心に直交する姿勢とし、互いに平行且つ平滑な壁面からなるものとしなければならず、後述する実施例にも示すとおり、伝熱壁に、軟質且つ高熱伝導率の伝熱用シートやゲルおよび熱伝導グリスなどの少なくとも何れか１つの伝熱膜を、支持駒部の伝熱壁との間で共有するよう設けたもとすることができる。
【００２９】
可変駒部の軸孔は、一軸心上に櫛歯状に配列した複数個の可変駒部に、一軸心上に櫛歯状に配列した複数個の支持駒部を噛合状に組み合わせ、可変駒部に対して支持駒部一軸心回りに回動可能とするよう、噛合状に組み合わせた複数個の可変駒部および支持駒部に、軸ボルトを串刺し状に貫き装着可能とする機能を担っており、軸ボルトの軸部分直径より僅かに大きな内径に設定し、一軸心に同心上配置となるよう穿設したものとしなければならず、軸孔内周壁と軸ボルトの軸部分外周壁との間に、軟質且つ高熱伝導率の伝熱用シートやゲルおよび熱伝導グリスなどの少なくとも何れか１つの伝熱膜を設けたもとすることが可能である。
【００３０】
可変駒部間の谷溝部は、支持駒部と噛合状に組み合わせ、一軸心回りに回動し、角度姿勢を調節可能とし、互いの伝熱壁を効率的に熱伝導可能とするよう密に接合可能とする機能を担い、可変駒部と支持駒部との噛合状の組み合わせ作業を容易に行えるよう、一軸心方向の谷溝部幅を、嵌合する支持駒部の肉厚寸法より極僅かに大きく設定したものとすべきである。
【００３１】
放熱・角度調節機構は、放熱脚座ブロックに対して放熱テーブルブロックを一軸心回りに回動可能に連結し、放熱脚座ブロックに対する放熱テーブルブロックの角度姿勢を調節可能とし、放熱脚座ブロックに対して放熱テーブルブロックを所望の角度姿勢に確りと固定可能とする機能を担っており、放熱脚座ブロック各支持駒部に対し、放熱テーブルブロック各可変駒部を噛合状に組み合わせ、一軸心上に重ね合わせた軸孔の一端から軸ボルトを串刺し状に貫き、重ね合わせた軸孔の他端に露出した該軸ボルト先端にナットを螺着してなるものとしなければならず、放熱脚座ブロック各谷溝部に対し、該放熱テーブルブロック各可変駒部を、該放熱テーブルブロック各谷溝部に対し、当該放熱脚座ブロック各支持駒部を噛合状に組み合わせ、当該一軸心上に重ね合わせた軸孔の一端から軸ボルトを串刺し状に貫き、重ね合わせた軸孔の他端に露出した該軸ボルト先端にナットを螺着し、各支持駒部各可変駒部の対峙伝熱壁同士を密に接合するよう連結したものとすべきであり、後述する実施例にも示しているが、対峙する伝熱壁間に、夫々、軟質且つ高熱伝導率の伝熱用シートやゲルおよび熱伝導グリスなどの少なくとも何れか１つの伝熱膜を設けたもとするのが良い。
【００３２】
ナット用回転止め溝は、一軸心上に配列するよう、噛合状に組み合わせた複数個の可変駒部および支持駒部の軸孔の一方から他方に串刺し状に貫いた軸ボルト先端に対し、螺着するナットの回転を規制可能とする機能を分担するものであり、ナットの回転を規制可能な形状、構造のものとしなければならず、例えば、ナットの座に相当することとなる可変駒部または支持駒部の外壁面に、一軸心に平行に立設し、六角ナット頭部６角の対応する何れか１つに係合する規制ピンに置き換えることが可能であり、耐久強度や部品点数の削減、加工工数などを考慮すると、後述する実施例にも示すとおり、六角ナットの平行する二側壁を挟み対峙する一対の壁面を有する溝形状のものとするのが望ましいと言える。
【００３３】
軸ボルト・ナットは、一軸心上の配列となるよう、噛合状に組み合わせた複数個の可変駒部および支持駒部の軸孔を一方から他方に串刺し状に貫き、放熱脚座ブロックに対して放熱テーブルブロックを、一軸心回りに回動、角度調節可能に軸着すると共に、緊締して放熱脚座ブロックに対する放熱テーブルブロックの角度姿勢を確り固定可能とする機能を担っており、同様の機能を有するものであれば、例えば、一軸心回りに回動可能に軸支する軸機能を持つ支軸と、可変駒部および支持駒部を効率良い熱伝導を達成可能とするよう互いに密接させると共に、互いの角度姿勢を固定可能とする緊締機能を有している万力やクランプなどの締め付け金具類とを組み合わせたものに置き換えることも可能ではあるが、部品点数の削減、および放熱・角度調節機構の小型・軽量化を考慮すると、後述する実施例にも示してあるとおり、支軸を兼ねた軸ボルトと、緊締可能とするナットとからなるものとするのが好都合のものと言える。
【００３４】
規制ネジ孔および規制ネジは、放熱・角度調節機構の緊締によって放熱脚座ブロックに対して、所望の角度姿勢に固定した放熱テーブルブロックを、さらに、強固且つ固定状に角度規制し、不用意な姿勢変化を、より確実に防止可能とする機能を担うものであり、噛合するよう組み合わせ、一軸心上何れか一方の最外側配置となる可変駒部および支持駒部の中の何れか一方の、一軸心上最外側端に露出する伝熱壁に、軸孔に平行な規制ネジ孔を貫通し、該規制ネジ孔に対して外がわから規制ネジを螺着し、該規制ネジ先端を対峙する伝熱壁に対して強い圧力をもって接合することによって高い摩擦力を得るようにし、隣接する支持駒部に対する可変駒部の角度姿勢変化を強固に規制可能とするものであり、さらに、該規制ネジ先端に対峙する伝熱壁に、一軸心回りの適宜角度置き毎に点在する複数個の嵌合穴を刻設し、該規制ネジ先端を、何れか対応する嵌合穴に嵌合するよう締め付けて、より強固に放熱脚座ブロックに対する放熱テーブルブロックの角度姿勢を固定可能なものとすることが可能である。
【００３５】
対象発熱体は、設置対象物に対して姿勢角度の調節を必要とし、且つ、冷却が必要となる程度に発熱する発熱機器類ということができ、発光動作中は、充分な放熱を行う必要があるＬＥＤ照明灯とすることができる外、その他の光源を有する照明灯や、ヒーター、燃料を燃焼するバーナーやトーチノズル、スチームノズル、点火装置などの外、あらゆる放熱物体の中から適宜選択したものとすることができる。
以下では、図面に示すこの発明を代表する実施例と共に、その構造について詳述することとする                                                                                                      
【図面の簡単な説明】
【００３６】
図面は、この発明の放熱型姿勢可変ホルダーの技術的思想を具現化した代表的な一実施例を示すものである。
【図１】放熱型姿勢可変ホルダーを示す斜視図である。
【図２】対象発熱体を搭載した放熱型姿勢可変ホルダーを示す斜視図である。
【図３】対象発熱体を搭載した放熱型姿勢可変ホルダーを示す三面図である。
【図４】対象発熱体および放熱型姿勢可変ホルダーの分解状態を示す正面および側面図である。
【実施例１】
【００３７】
図１ないし図４に示す事例は、接地ベース部２０の適所に、一軸心Ｃ上に櫛歯状配列とした複数個の支持駒部２２，２２，……を突設し、各支持駒部２２，２２，……の一軸心Ｃ上に軸孔２４を穿孔した放熱脚座ブロック２を有し、該一軸心Ｃ上の各支持駒部２２，２２，……間に対応し、櫛歯状に配列した複数個の可変駒部３２，３２，……を設け、各可変駒部３２，３２，……の当該一軸心Ｃ上に軸孔３４を穿孔し、各可変駒部３２，３２，……の基端に、対象発熱体９を搭載可能なテーブル部３０を一体化した放熱テーブルブロック３を有し、当該放熱脚座ブロック２各支持駒部２２，２２，……に対し、該放熱テーブルブロック３各可変駒部３２，３２，……を噛合状に組み合わせ、当該一軸心Ｃ上に重ね合わせた軸孔２４，３４の一端から軸ボルト６を串刺し状に貫き、重ね合わせた軸孔２４，３４の他端に露出した該軸ボルト６先端にナット６０を螺着し、放熱・角度調節機構４としてなるものとした、この発明の放熱型姿勢可変ホルダーにおける代表的な一実施例を示すものである。
【００３８】
それら各図からも明確に把握できるとおり、この発明の放熱型姿勢可変ホルダー１は、放熱脚座ブロック２および放熱テーブルブロック３の主要な２部品を高熱伝導率のアルミニウム合金製とし、放熱脚座ブロック２の接地ベース部２０は、長方形の四角を面取り加工した厚板形状部分であって長手方向両端の幅寸法中央に、建築物などの設置対象物に対して固定する固着部２１としての取付孔２１を肉厚方向に貫通し、該接地ベース部２０の表面中央には、同接地ベース部２０長手方向に平行であって、同接地ベース部２０表面より僅かに離れた位置に設定した一軸心Ｃ上の適宜間隔置き毎に、該一軸心Ｃに直交する配列方向側面２３，２３，……を互いに平行且つ平滑な伝熱壁２３，２３，……とし、対峙する伝熱壁２３，２３間に夫々谷溝部２５，２５，２５を形成し、櫛歯状に配列した４個の支持駒部２２，２２，……を突設し、各支持駒部２２，２２，……先端の角は、大きく面取り加工し、各支持駒部２２，２２，……の該一軸心Ｃ上に軸孔２４を穿孔したものとしてある。
【００３９】
放熱テーブルブロック３は、当該一軸心Ｃ上の支持駒部２２，２２，……の厚みに相当する間隔置き毎に、該一軸心Ｃに直交する配列方向側面３３，３３，……を互いに平行且つ平滑な伝熱壁３３，３３，……とし、対峙する伝熱壁３３，３３，……間に対応する支持駒部２２，２２，……に嵌合可能な谷溝部３５，３５，……を形成し、櫛歯状に配列した５個の可変駒部３２，３２，……を設け、各可変駒部３２，３２，……の基端には、各可変駒部３２，３２，……の全幅および当該一軸心Ｃ上両端に配する各可変駒部３２，３２外向き伝熱壁３３，３３間に渡る矩形状範囲に、矩形肉厚平板状であって対象発熱体９としてのＣＯＢ（ｃｈｉｐ  ｏｎ  ｂｏａｒｄ）型ＬＥＤ（ｌｉｇｈｔ  ｅｍｉｔｔｉｎｇ  ｄｉｏｄｅ）を光源とする光源モジュール（照明灯）９を伝・放熱可能に搭載可能なテーブル部３０を、一軸心Ｃに平行な姿勢に一体化し、該テーブル部３０天面の一軸心Ｃ上両端寄りには、テーブル部３０天面に垂直なネジ穴からなる結着部３１，３１を穿設し、各可変駒部３２，３２，……の当該一軸心Ｃ上には、軸孔３４を穿孔したものである。
【００４０】
加えて、放熱テーブルブロック３は、当該一軸心Ｃの一方端がわに対応する最外側の１個の可変駒部３２の、一軸心Ｃの一方外側に露出する伝熱壁３３に、軸ボルト６先端に螺着する六角ナット６０頭部の平行する２壁面に係合し、回転止めとなる回転止め溝５を刻設し、さらに、該１個の可変駒部３２の幅方向の何れか一方端寄りであって、該回転止め溝５に嵌合するナット６０に干渉しない適所に、一軸心Ｃに平行な規制ネジ孔７を貫通し、該規制ネジ孔７には、その外端がわから規制ネジ７０を螺着し、同規制ネジ７０先端が、対応する支持駒部２２伝熱壁２３に当接可能としてなるものとしてある。
【００４１】
放熱・角度調節機構４は、放熱脚座ブロック２支持駒部２２，２２，……伝熱壁２３，２３，……、および放熱テーブルブロック３可変駒部３２，３２，……可変駒部３２，３２，……の一軸心Ｃ上最外端配置を除く各伝熱壁３３，３３，……、換言すれば、各谷溝部２５，２５，……，３５，３５，……に臨む伝熱壁２３，２３，……，３３，３３，……に、シリコングリス８を塗布して伝熱膜８，８，……を設けたものとし、放熱脚座ブロック２各谷溝部２５，２５，２５に対して、該放熱テーブルブロック３の中央３個の可変駒部３２，３２，３２を対応させ、外端側２個の可変駒部３２，３２が、４個中外端配置となる２個の支持駒部２２，２２の外側に配するよう噛合状に組み合わせ、各軸孔２４，３４を、当該一軸心Ｃ上に重ね合わせた上、一軸心Ｃ上の回転止め溝５を設けたのとは反対がわとなる他端がわから、六角穴付き頭部を有する軸ボルト６を串刺し状に貫き、該回転止め溝５に露出した該軸ボルト６先端に六角ナット６０を螺着すると共に、同六角ナット６０頭部の平行する２壁を回転止め溝５に嵌合させて緊締し、各支持駒部２２，２２，……各可変駒部３２，３２，……の対峙伝熱壁２３，２３，……，３３，３３，……同士を、伝熱膜８，８，……（図中には塗布位置のみを示す）を介して密に接合するよう連結したものとしてある。
【００４２】
図２ないし図４に示すように、当該放熱テーブルブロック３テーブル部３０天面には、シリコングリス８を塗布してなる伝熱膜８を介して後述する対象発熱体９である光源モジュール９を搭載することが可能であり、該光源モジュール９は、例えば、アルミニウム合金製の円板状ベース体９０上にＣＯＢ９１、合成樹脂製のＣＯＢホルダー９２、およびリフレクター９３を、ネジ結合するなどして組み合わせたものとすることができる。
【００４３】
（実施例１の作用・効果）
以上のとおりの構成からなるこの発明の放熱型姿勢可変ホルダー１は、図１ないし図４に示すように、放熱脚座ブロック２接地ベース部２０の取付孔２１，２１に、ボルト・ナットを装着し、設置対象物に設けた取付け部分に対して強固に一体化、固定したものとすることが可能であり、放熱・角度調節機構４は、放熱脚座ブロック２に対する、軸ボルト６（一軸心Ｃ）を中心とした放熱テーブルブロック３の傾き角度姿勢を決定する場合には、例えば、設置対象物に設置する前、または設置後の何れかに、予め準備した治具などを用いて所望の角度とするよう、正確に規制した上、軸ボルト６・ナット６０および規制ネジ７０を緊締し、調節角度に強固に固定したものとすることができる外、設置対象物に設置した後に、実際に照明灯９を点灯し、所望の照明範囲を照らせるよう、角度調節した上、軸ボルト６・ナット６０および規制ネジ７０を緊締し、強固に固定したものとすることなどが可能であり、何れの場合にも、軸ボルト６の緊締（および螺解）操作に際し、回転止め溝５にナット６０が嵌合しているから、メガネレンチなどによるナット６０の回転止め操作を必要とせず、六角レンチ１本のみを用いて効率的に緊締（螺解）作業することができる。
【００４４】
放熱脚座ブロック２支持駒部２２，２２，……４個と、放熱テーブルブロック３可変駒部３２，３２，……５個とを、互いの伝熱壁２３，２３，……，３３，３３，……間に、シリコングリス（伝熱膜）８を塗布するかたちで介在させて、噛合状に組み合わせ、軸ボルト６・ナット６０により、密着するよう緊締した上、テーブル部３０天面にもシリコングリス（伝熱膜）８を塗布し、照明灯９ベース体９０を密接するよう搭載し、結着部３１，３１であるネジ穴３１，３１にネジを螺着して結合、搭載したものとしてあるから、照明灯９ベース体９０からの熱を、放熱テーブルブロック３、放熱・角度調節機構４および放熱脚座ブロック２へと、速やか且つ迅速に伝達すると共に、各部品が周囲空気中・空間中に伝達・輻射によって効率的に放熱し、照明灯９、ＣＯＢ９１を効果的に冷却し、ＣＯＢ９１の発光性能を高水準に維持し、ＬＥＤ部品寿命を大幅に延命化することができる。
【００４５】
（結  び）
叙述の如く、この発明の放熱型姿勢可変ホルダーは、その新規な構成によって所期の目的を遍く達成可能とするものであり、しかも製造も容易で、従前からの姿勢を調節可変なホルダー類の技術に比較して部品点数を増加することなく、耐久強度を高めて長寿命化すると共に、軽量且つ低廉化して遥かに経済的なものとすることができる上、組み立ておよび設置作業性を大幅に改善し得るものとなることから、照明灯やその他の発熱体を任意の所望角度に調節して、確りと支持するよう固定する必要性がある各種照明業界、および、各種電装業界はもとより、インテリア、エクステリア業界および建設業界などの外、発熱部品を装着するロボットアームや治具、工具類を取り扱う各種製造業界に留まらず、放熱型ホルダーの利用を希望する一般家庭においても高く評価され、広範に渡って利用、普及していくものになると予想される。                                                              
【符号の説明】
【００４６】
１      放熱型姿勢可変ホルダー
２      放熱脚座ブロック
２０    同  接地ベース部
２１    同  取付孔（固着部）
２２    同  支持駒部
２３    同  伝熱壁
２４    同  軸孔
２５    同  谷溝部
Ｃ      一軸心
３      放熱テーブルブロック
３０    同  テーブル部
３１    同  結着部
３２    同  可変駒部
３３    同  伝熱壁
３４    同  軸孔
３５    同  谷溝部
４      放熱・角度調節機構
５      回転止め溝
６      軸ボルト
６０    同  ナット
７      規制ネジ孔
７０    同  規制ネジ
８      伝熱膜
９      光源モジュール（照明灯、発熱機器類）
９０    同  ベース体
９１    同  ＣＯＢ
９２    同  ＣＯＢホルダー
９３    同  リフレクター
【図１】
0006328685.tif 000002
【図２】
0006328685.tif 000003
【図３】
0006328685.tif 000004
【図４】
0006328685.tif 000005